(57)【特許請求の範囲】
【請求項１】
ベース上に立設した仕切板により内部ユニットを室内側熱交換室と室外側熱交換室とに区画し、室内側熱交換室に室内熱交換器と、シロッコファンとを備え、室外側熱交換室に室外熱交換器と、プロペラファンと、同プロペラファンと前記シロッコファンとを駆動するファンモータと、前記プロペラファンに対応するファンリングを備えたエアガイダと、圧縮機とを備えた一体型空気調和機において、
前記室外熱交換器は、Ｕ字形状に折曲され前記仕切板と対向して前記ベースに下端が固定された側板を両端部に備え、前記側板と前記仕切板は、前記側板同士の上端部の間を連結する第１辺と、同第１辺と平行で前記仕切板の上端部に固定される第２辺と、前記側板の上端部から前記仕切板の上端角部に橋渡しされた第３辺および第４辺で構成される四角枠形状の支持部材により連結されてなることを特徴とする一体型空気調和機。
【請求項２】
前記支持部材は、少なくとも前記第３辺と前記第４辺にはそれぞれの外縁から垂下するフランジが一体形成されたことを特徴とする請求項１に記載の一体型空気調和機。
【請求項３】
前記エアガイダは両端を前記側板の内縁にそれぞれ固定され、前記エアガイダの上端部は、前記仕切板側を開放した係合溝を備え、同係合溝の底面で前記支持部材の前記第１辺を受けるように係合させることで位置決めされてなることを特徴とする請求項１に記載の一体型空気調和機。
【発明の詳細な説明】
【技術分野】
【０００１】
本発明は、一体型空気調和機の内部ユニットに係わるものである。
【背景技術】
【０００２】
従来の一体型空気調和機は、図６に示すように、内部ユニット１０１が、ベース１０２上に立設されることで、ベース１０２上をＵ字形状に折曲した室外熱交換器１０３を有する室外側熱交換室１０４と、室内熱交換器１０５を有する室内側熱交換室１０６とに区画する仕切板１０７を備え、室外側熱交換室のベース１０２に立設されてプロペラファン１０８の風を案内するファンリング１０９を含むエアガイダ１１０を備えるとともに、仕切板１０７とエアガイダ１１０との間に連結桟１１１を橋渡し状に溶接したものが知られている（例えば、特許文献１）。
【０００３】
室外側熱交換室１０４と室内側熱交換室１０６とを区分する仕切板１０７と、プロペラファン１０８の風を案内するエアガイダ１１０とは板金からなる構成になっており、これら板金製による仕切板１０７およびエアガイダ１１０の間に、板金で形成された複数の連結桟１１１が橋渡し状に溶接されることで、内部ユニット１０１を補強できるようにしていた。
【０００４】
しかしながら、例えば、内部ユニット１０１の軽量化およびコストの低減を図るため、ファンリング１０９を含むエアガイダ１１０を樹脂化した場合、この樹脂製のエアガイダ１１０に対し板金製の連結桟１１１を溶接することができないという問題点を有していた。また、樹脂製のエアガイダ１１０に板金製の連結桟１１１をねじ締め固定したとしても、樹脂製のエアガイダ１１０の剛性が不足することで、内部ユニット１０１の剛性を確保できないという問題点を有していた。
【先行技術文献】
【特許文献】
【０００５】
【特許文献１】特開昭６０−１９６５２８号公報
【発明の概要】
【発明が解決しようとする課題】
【０００６】
本発明は、上記問題点に鑑み、室外側熱交換室のファンリングを備えたエアガイダを樹脂化して内部ユニットの軽量化およびコストの低減をはかり、且つ内部ユニットの剛性を確保できるようにした一体型空気調和機を提供することを目的とする。
【課題を解決するための手段】
【０００７】
上述した目的を達成するため、本発明は以下に示す特徴を備えている。
【０００８】
ベース上に立設した仕切板により内部ユニットを室内側熱交換室と室外側熱交換室とに区画し、室内側熱交換室に室内熱交換器と、シロッコファンとを備え、室外側熱交換室に室外熱交換器と、プロペラファンと、同プロペラファンと前記シロッコファンとを駆動するファンモータと、前記プロペラファンに対応するファンリングを備えたエアガイダと、圧縮機とを備えた一体型空気調和機において、
前記室外熱交換器は、Ｕ字形状に折曲され前記仕切板と対向して前記ベースに下端が固定された側板を両端部に備え、前記側板と前記仕切板は、前記側板同士の上端部の間を連結する第１辺と、同第１辺と平行で前記仕切板の上端部に固定される第２辺と、前記側板の上端部から前記仕切板の上端角部に橋渡しされた第３辺および第４辺で構成される四角枠形状の支持部材により連結されてなることを特徴としている。
【０００９】
前記支持部材は、少なくとも前記第３辺と前記第４辺にはそれぞれの外縁から垂下するフランジが一体形成されたことを特徴としている。
【００１０】
前記エアガイダは両端を前記側板の内縁にそれぞれ固定され、前記エアガイダの上端部は、前記仕切板側を開放した係合溝を備え、同係合溝の底面で前記支持部材の前記第１辺を受けるように係合させることで位置決めされてなることを特徴としている。
【発明の効果】
【００１１】
本発明によれば、室外側熱交換室のファンリングを備えたエアガイダを樹脂化して内部ユニットの軽量化およびコストの低減をはかり、且つ内部ユニットの剛性を確保できるようにした一体型空気調和機を提供できる。
【図面の簡単な説明】
【００１２】
【図１】本発明による一体型空気調和機の外観斜視図である。
【図２】本発明による一体型空気調和機の要部斜視図である。
【図３】本発明による一体型空気調和機の要部分解斜視図である。
【図４】本発明による一体型空気調和機の要部拡大斜視図である。
【図５】図２に示すＡ−Ａ断面図で、（Ａ）はエアガイダの係合溝に支持部材を係合した図であり、（Ｂ）はエアガイダの係合溝および固定ねじを示す図である。
【図６】従来例による一体型空気調和機の要部斜視図である。
【発明を実施するための形態】
【００１３】
以下、本発明の実施の形態を、添付図面に基づいた実施例として詳細に説明する。
【００１４】
図１は本発明による一体型空気調和機の外観斜視図であり、図２は外胴内に収納される本発明による一体型空気調和機の内部ユニットの斜視図であり、図３は外胴内に収納される本発明による一体型空気調和機の内部ユニットの要部分解斜視図であり、図４は外胴内に収納される本発明による一体型空気調和機の内部ユニットの要部拡大斜視図であり、図５は図２に示すＡ−Ａ断面図で、（Ａ）はエアガイダの係合溝に支持部材の第１辺を係合した図であり、（Ｂ）は仕切板側を開放したエアガイダの係合溝および固定ねじを示す図である。
【００１５】
本発明による一体型空気調和機は、図２に示す内部ユニット１が、図１に示す室外側吸込口２ａと、室外側吹出口２ｂとを備えた外胴２内に収納され，室内側吸込口２ｃと、図２に示す室内側吹出用の開口２ｄとを備えた前面パネル２ｅで前面が覆われた構成になっている。
【００１６】
内部ユニット１は、図２および図３に示すように、ベース３上に立設した仕切板４により室内側熱交換室５と室外側熱交換室６とに区画され、室内側熱交換室５の一側寄りに、室内熱交換器７と図示しないシロッコファンとが設けられ、室内側熱交換室５の他側寄りに、室内熱交換器７の冷媒との間で熱交換された空気を室内に吹き出す室内側吹出口１ａと、本発明による一体型空気調和機の運転操作をする操作部１ｂとが設けられている。
【００１７】
室外側熱交換室６には、ベース３上に下端を固定した側板１４，１４を両端部に備えてＵ字形状に折り曲げられた室外熱交換器９と、図３に示すモータ取付台２１に取り付けたファンモータ２０と、ファンモータ２０で駆動されるプロペラファン１０と、プロペラファン１０を囲むファンリング１１を備えたエアガイダ１２と、圧縮機１３とが設けられている。
【００１８】
室外側熱交換室６のファンリング１１を備えたエアガイダ１２は、合成樹脂製にすることで、板金製に較べて軽量化およびコストの低減をはかれるようにしている。
【００１９】
ベース３上に固定された仕切板４は、ベース３上に図示しないねじで固定された室外熱交換器９の側板１４，１４に対向させた構成になっており、仕切板４および側板１４，１４が、ともに板金からなる構成になっている。そして、これら側板１４，１４同士の間と、仕切板４の上端部と側板１４，１４の上端部との間が、板金製の支持板からなる支持部材１５によって連結されている。
【００２０】
板金製の支持部材１５は、図３に示すように、仕切板４と側板１４，１４とを連結することで内部ユニット１の剛性を補強できるように四角枠形状に形成されており、一方の対向する側板１４，１４同士の上端部の間を連結する第１辺１５ａと同第１辺１５ａと平行で仕切板４の上端角部に固定される第２辺１５ｂからなる二辺と、他方の対向する側板１４，１４の上端部から仕切板４の上端部に橋渡しされた第３辺１５ｃおよび第４辺１５ｄからなる二辺とで構成されている。
【００２１】
枠形状の内周縁には、内周フランジ１５ｅが一体形成（垂下）されており、第１辺１５ａの外縁には、内周フランジ１５ｅと同じ高さでフランジ１５ｆが一体形成されており、第３辺１５ｃおよび第４辺１５ｄの外縁には、内周フランジ１５ｅおよびフランジ１５ｆよりも高さ寸法が大きいフランジ１５ｃ１および１５ｄ１がそれぞれ一体形成されることで、支持部材１５の強度を増強している。
【００２２】
強度を増強した枠形状の支持部材１５は、仕切板４と側板１４，１４とを連結することで内部ユニット１の剛性を補強する際、仕切板４の上端部と側板１４，１４の上端部とに対し、上方および側方からねじ締め固定されることによって強固に固定されるようになっている。
【００２３】
支持部材１５の上端部と、側板１４，１４の上端部とは、側板１４，１４の上面に設けられた図３に示すねじ孔１４ａ，１４ａと、このねじ孔１４ａ，１４ａに対応して支持部材１５の第１辺１５ａに設けられた図３に示すねじ通し孔１６，１６とからなる第一固定部により、図２および図４に示すように上方から固定ねじ１８，１８でねじ締め固定される。また、側板１４，１４の側面に設けられた図３に示すねじ孔１４ａ，１４ａと、このねじ孔１４ａ，１４ａに対応して支持部材１５のフランジ１５ｃ１および１５ｄ１に設けられた図３に示すねじ通し孔１６，１６とからなる第二固定部により、図２および図４に示すように側方から固定ねじ１８，１８でねじ締め固定される（側方の固定ねじ１８は片側のみ図示）。
【００２４】
支持部材１５の上端部と、仕切板４の上端部とは、仕切板４，４の上面に設けられた図３に示すねじ孔４ａ，４ａと、このねじ孔４ａ，４ａに対応して支持部材１５の第２辺１５ｂに設けられた図３に示すねじ通し孔１７，１７とからなる第三固定部により、図２に示すように上方から固定ねじ１８，１８でねじ締め固定される。また、仕切板４，４の側面に設けられた図３に示すねじ孔４ａ，４ａと、このねじ孔４ａ，４ａに対応して支持部材１５のフランジ１５ｃ１および１５ｄ１に設けられた図３に示すねじ通し孔１７，１７とからなる第四固定部により、図２に示すように側方から固定ねじ１８，１８でねじ締め固定される（側方の固定ねじ１８は片側のみ図示）。
【００２５】
図３に示す複数の固定ねじ１８は、第１辺１５ａのねじ通し孔１６，１６と、第２辺１５ｂのねじ通し孔１６，１６とにそれぞれ上方から通されて、側板１４，１４の上面に設けられたねじ孔１４ａ，１４ａと、仕切板４，４の上面に設けられたねじ孔４ａ，４ａとにそれぞれ螺着される。
【００２６】
また、フランジ１５ｃ１および１５ｄ１に備えた側板１４，１４寄りのねじ通し孔１７，１７に通す複数の固定ねじ１８，１８は、側板１４，１４の側面に設けられたねじ孔１４ａ，１４ａにそれぞれ螺着され、フランジ１５ｃ１および１５ｄ１に備えた仕切板４，４寄りのねじ通し孔１７，１７に通す複数の固定ねじ１８，１８は、仕切板４，４の側面に設けられたねじ孔４ａ，４ａにそれぞれ螺着される。
【００２７】
側板１４，１４の上端位置から仕切板４に橋渡しされた第３辺１５ｃおよび第４辺１５ｄは、例えば図６に示す背景技術のように、側板１１２，１１２よりも内側（ファン軸寄り）でエアガイダ１１０から仕切板１０７に連結桟１１１が橋渡しされ固定された構成に較べて、図２および図３に示す側板１４，１４の位置から仕切板４に橋渡しされ固定されることで、内部ユニット１の剛性をより効果的に補強できる。
【００２８】
また、室内側熱交換室６に設けられた室内熱交換器７の上部と、折曲形成されている仕切板４の上端部には、図２に示すような板金製の天板１９が、仕切板４の上端部に固定された支持部材１５の上部からねじ締め固定されている。
【００２９】
上述した構成により、外胴２内に収納された内部ユニット１は剛性が増強され、室外熱交換器９がＵ字形状に折曲形成されたことでフィンの枚数が増えて伝熱管（何れも図示せず）が長くなり、室外熱交換器９が大きくなったことで、伝熱管内を流通する冷媒とプロペラファン１０により室外吸込口２ａから吸い込まれた空気との間で、効率よく熱交換できるようになる。
【００３０】
プロペラファン１０は、Ｕ字形状の室外熱交換器９の内側に設置された構成にすることで、プロペラファン１０と室外熱交換器９との間隔を大きくすることなく、内部ユニット１のコンパクト化に寄与できるようになる。
【００３１】
支持部材１５の第一固定部１６，１６および第二固定部１７，１７は、側板１４，１４および仕切板４に対し、ねじ孔１４ａ，１４ａおよびねじ孔４ａ，４ａに螺着される固定ねじ１８，１８で、上方および側方から強固にねじ締め固定されるようになる。
【００３２】
その際、支持部材１５が枠形状に形成され、また、内周フランジ１５ｅ、フランジ１５ｃ１，１５ｄ１および１５ｆが一体形成されたことで、強度を高めた支持部材１５によって内部ユニット１の剛性を効果的に補強できるようになる。
【００３３】
支持部材１５は、第１辺１５ａがエアガイダ１２の上端部に沿うように側板１４，１４および仕切板４に固定されることで、エアガイダ１２の上端部を、第１辺１５ａに沿わせて正確に位置決めできるようになる。
【００３４】
また、室外熱交換器９は、Ｕ字形状の開放側上端部が支持部材１５の第１辺１５ａによって閉じられる構成になることで強度が増強し、内部ユニット１の剛性を補強する構成として寄与できるようになる。
【００３５】
エアガイダ１２は、図５（Ｂ）に示すように、上端部に仕切板４側を開放した係合溝１２ａを備えており、図５（Ａ）に示すように、係合溝１２ａの底面１２ｄで支持部材１５の第１辺１５ａを受けるように係合させることで、第１辺１５ａに対し正確に位置決めされるようになる。
【００３６】
係合された支持部材１５の第１辺１５ａには、図５（Ａ）に示すようにねじ孔１５ｇが設けられ、ねじ孔１５ｇに対応して、エアガイダ１２の上端部の係合溝１２ａには、図５（Ｂ）に示すように、固定ねじ１８を通しねじ孔１５ｇに螺着してねじ締め固定するためのねじ通し孔からなる固定部１２ｂが設けられている。
【００３７】
エアガイダ１２は、上端部の係合溝１２ａに支持部材１５の第１辺１５ａを係合させ、係合させた第１辺１５ａに固定されることで、合成樹脂製のため強度不足であっても板金製の支持部材１５に固定されて補強されることになる。
【００３８】
なお、エアガイダ１２の係合溝１２ａには、支持部材１５の第１辺１５ａを、底面１２ｄで受けて係合した位置に位置決めする位置決め部１２ｃが底面１２ｄに突設されている。第１辺１５ａの内周フランジ１５ｅが位置決め部１２ｃに当接して、固定部１２ｂに対しねじ孔１５ｇが位置決めされることで、固定部１２ｂに固定ねじ１８を通しねじ孔１５ｇに螺着してねじ締め固定する作業性が良好になる。
【００３９】
そのため、ファンリング１１を備えたエアガイダ１２を合成樹脂製にして第１辺１５ａにねじ締め固定することで、内部ユニット１の軽量化およびコストの低減をはかれるようになり、これによって、内部ユニット１の剛性を損なうことはない。
【００４０】
以上説明したように、本発明の構成によれば、Ｕ字形状に折曲されベース３上に固定した側板１４，１４を備えた室外熱交換器９が室外側熱交換室６に設置され、室内側熱交換室５と室外側熱交換室６とを区画して上部に天板１９を固定した仕切板４がベース３上に固定され、側板１４，１４同士の間および仕切板４と側板１４，１４との間が枠形状の支持部材１５により連結され、側板１４，１４の内縁に固定されたエアガイダ１２が支持部材１５で、ファンリング１１を備えたエアガイダ１２を樹脂化して軽量化およびコストの低減をはかり、且つ、内部ユニット１の剛性を確保できるようにした一体型空気調和機となる。
【符号の説明】
【００４１】
１  内部ユニット
１ａ  室内側吹出口
１ｂ  操作部
２  外胴
２ａ  室外側吸込口
２ｂ  室外側吹出口
２ｃ  室内側吸込口
２ｄ  室内側吹出用の開口
２ｅ  前面パネル
３  ベース
４  仕切板
４ａ  ねじ孔
５  室内側熱交換室
６  室外側熱交換室
７  室内熱交換器
９  室外熱交換器
１０  プロペラファン
１１  ファンリング
１２  エアガイダ
１２ａ  係合溝
１２ｂ  固定部
１２ｃ  位置決め部
１２ｄ  底面
１３  圧縮機
１４  側板
１４ａ  ねじ孔
１５  支持部材（支持板）
１５ａ  第１辺
１５ｂ  第２辺
１５ｃ  第３辺
１５ｃ１  フランジ
１５ｄ  第４辺
１５ｄ１  フランジ
１５ｅ  内周フランジ
１５ｆ  フランジ
１５ｇ  ねじ孔
１６  ねじ通し孔
１７  ねじ通し孔
１８  固定ねじ
１９  天板
２０  ファンモータ
２１  モータ取付台
【図１】
0005870573.tif 000002
【図２】
0005870573.tif 000003
【図３】
0005870573.tif 000004
【図４】
0005870573.tif 000005
【図５】
0005870573.tif 000006
【図６】
0005870573.tif 000007